(57)【要約】【課題】非喫煙者にとってのユーザビリティを向上させることができる情報提供装置、情報提供システム、情報提供方法、および情報提供プログラムを提供すること。【解決手段】実施形態に係る情報提供装置は、受付部と、情報取得部と、状況取得部と、導出部と、提供部とを備える。受付部は、禁煙施設の検索要求を受け付ける。情報取得部は、受付部によって検索要求が受け付けられる場合に禁煙施設に関する情報を取得する。状況取得部は、情報取得部によって情報が取得された禁煙施設の周辺の喫煙状況を取得する。導出部は、状況取得部によって取得された喫煙状況に基づいて禁煙施設におけるタバコに起因した煙害のレベルを導出する。提供部は、導出部によって導出されたレベルに応じて禁煙施設に関する情報を提供する。【選択図】図１Ｂ
2018195144.tif 000002
【特許請求の範囲】
【請求項１】
禁煙施設の検索要求を受け付ける受付部と、
前記受付部によって前記検索要求が受け付けられる場合に禁煙施設に関する情報を取得する情報取得部と、
前記情報取得部によって前記情報が取得された前記禁煙施設の周辺の喫煙状況を取得する状況取得部と、
前記状況取得部によって取得された前記喫煙状況に基づいて前記禁煙施設におけるタバコに起因した煙害のレベルを導出する導出部と、
前記導出部によって導出されたレベルに応じて前記禁煙施設に関する情報を提供する提供部と
を備えることを特徴とする情報提供装置。
【請求項２】
前記状況取得部は、
前記喫煙状況として、前記禁煙施設の周辺に存在する喫煙施設に関する情報を取得する
ことを特徴とする請求項１に記載の情報提供装置。
【請求項３】
前記状況取得部は、
前記喫煙状況として、前記禁煙施設の周辺における喫煙者の分布を取得する
ことを特徴とする請求項１または請求項２に記載の情報提供装置。
【請求項４】
前記状況取得部は、
前記喫煙者の分布として、時間帯毎に異なる前記喫煙者の存在が密になる予測領域を取得する
ことを特徴とする請求項３に記載の情報提供装置。
【請求項５】
前記状況取得部は、
前記喫煙者の分布として、前記禁煙施設の周辺地域におけるタバコの売上額を取得する
ことを特徴とする請求項３または請求項４に記載の情報提供装置。
【請求項６】
前記状況取得部は、
前記喫煙状況として、前記禁煙施設の周辺における風向および風速をさらに取得する
ことを特徴とする請求項１〜５のいずれか一つに記載の情報提供装置。
【請求項７】
サーバ装置と情報提供装置とを含み、
前記情報提供装置は、
禁煙施設の検索要求を受け付ける受付部と、
前記受付部によって前記検索要求が受け付けられる場合に禁煙施設に関する情報を取得する情報取得部と、
前記情報取得部によって前記情報が取得された前記禁煙施設の周辺の喫煙状況を取得する状況取得部と、
前記状況取得部によって取得された前記喫煙状況に基づいて前記禁煙施設におけるタバコに起因した煙害のレベルを導出する導出部と、
前記導出部によって導出されたレベルに応じて前記禁煙施設に関する情報を提供する提供部と
を備えることを特徴とする情報提供システム。
【請求項８】
コンピュータが実行する情報提供方法であって、
禁煙施設の検索要求を受け付ける受付工程と、
前記受付工程によって前記検索要求が受け付けられる場合に禁煙施設に関する情報を取得する情報取得工程と、
前記情報取得工程によって前記情報が取得された前記禁煙施設の周辺の喫煙状況を取得する状況取得工程と、
前記状況取得工程によって取得された前記喫煙状況に基づいて前記禁煙施設におけるタバコに起因した煙害のレベルを導出する導出工程と、
前記導出工程によって導出されたレベルに応じて前記禁煙施設に関する情報を提供する提供工程と
を含むことを特徴とする情報提供方法。
【請求項９】
禁煙施設の検索要求を受け付ける受付手順と、
前記受付手順によって前記検索要求が受け付けられる場合に禁煙施設に関する情報を取得する情報取得手順と、
前記情報取得手順によって前記情報が取得された前記禁煙施設の周辺の喫煙状況を取得する状況取得手順と、
前記状況取得手順によって取得された前記喫煙状況に基づいて前記禁煙施設におけるタバコに起因した煙害のレベルを導出する導出手順と、
前記導出手順によって導出されたレベルに応じて前記禁煙施設に関する情報を提供する提供手順と
をコンピュータに実行させることを特徴とする情報提供プログラム。
【発明の詳細な説明】
【技術分野】
【０００１】
開示の実施形態は、情報提供装置、情報提供システム、情報提供方法、および情報提供プログラムに関する。
【背景技術】
【０００２】
従来、ユーザによって施設のジャンルが選択された場合に、選択されたジャンルに該当する施設を検索して一覧表示させ、一覧表示の中からユーザによって選択される施設までの経路を案内するナビゲーション装置がある（例えば、特許文献１参照）。
【先行技術文献】
【特許文献】
【０００３】
【特許文献１】特開２０１２−１４５３９１号公報
【発明の概要】
【発明が解決しようとする課題】
【０００４】
しかしながら、従来のナビゲーション装置は、検索した施設が非喫煙者にとって快適な施設か否かを考慮することなく一覧表示するため、非喫煙者にとってユーザビリティが高いとは言えない。
【０００５】
実施形態の一態様は、上記に鑑みてなされたものであって、非喫煙者にとってのユーザビリティを向上させることができる情報提供装置、情報提供システム、情報提供方法、および情報提供プログラムを提供することを目的とする。
【課題を解決するための手段】
【０００６】
実施形態の一態様に係る情報提供装置は、受付部と、情報取得部と、状況取得部と、導出部と、提供部とを備える。受付部は、禁煙施設の検索要求を受け付ける。情報取得部は、前記受付部によって前記検索要求が受け付けられる場合に禁煙施設に関する情報を取得する。状況取得部は、前記情報取得部によって前記情報が取得された前記禁煙施設の周辺の喫煙状況を取得する。導出部は、前記状況取得部によって取得された前記喫煙状況に基づいて前記禁煙施設におけるタバコに起因した煙害のレベルを導出する。提供部は、前記導出部によって導出されたレベルに応じて前記禁煙施設に関する情報を提供する。
【発明の効果】
【０００７】
実施形態の一態様に係る情報提供装置、情報提供システム、情報提供方法、および情報提供プログラムは、非喫煙者にとってのユーザビリティを向上させることができる。
【図面の簡単な説明】
【０００８】
【図１Ａ】図１Ａは、実施形態に係る情報提供装置が実行する情報提供方法の説明図である。
【図１Ｂ】図１Ｂは、実施形態に係る情報提供装置が実行する情報提供方法の説明図である。
【図２】図２は、実施形態に係る情報提供システムを示す説明図である。
【図３】図３は、実施形態に係る情報提供装置の構成の一例を示す説明図である。
【図４】図４は、実施形態に係る煙害レベルの導出手順の説明図である。
【図５】図５は、実施形態に係る煙害レベルの導出手順の説明図である。
【図６】図６は、実施形態に係る煙害レベルの導出手順の説明図である。
【図７】図７は、実施形態に係る煙害レベルの導出手順の説明図である。
【図８】図８は、実施形態に係る情報提供装置の制御部が実行する処理を示すフローチャートである。
【図９】図９は、実施形態に係る煙害レベルの導出手順の変形例を示す説明図である。
【図１０】図１０は、実施形態に係る経路案内方法の一例を示す説明図である。
【発明を実施するための形態】
【０００９】
以下、添付図面を参照して、本願の開示する情報提供装置、情報提供システム、情報提供方法、および情報提供プログラムの実施形態を詳細に説明する。なお、以下に示す実施形態によりこの発明が限定されるものではない。
【００１０】
図１Ａおよび図１Ｂは、実施形態に係る情報提供装置１が実行する情報提供方法の説明図である。ここでは、情報提供装置１が車両に搭載され、ユーザによって入力される目的地までの経路案内を行うカーナビゲーション装置である場合を例に挙げて説明する。
【００１１】
図１Ａおよび図１Ｂに示すように、情報提供装置１は、ユーザによるタッチ操作を受け付ける操作部２としての機能と、各種画像情報を表示出力する出力部３としての機能を備えたタッチパネルディスプレイを備える。
【００１２】
情報提供装置１は、ユーザが経路案内を所望する目的地の施設を施設のジャンルから選択する操作を行った場合、例えば、図１Ａに示すように、レストラン、ファーストフード、コンビニ等といった施設のジャンルを列挙したジャンル一覧２１を表示する。このとき、情報提供装置１は、ジャンル一覧２１と共に、通常表示設定の操作アイコン２２および禁煙施設限定表示設定の操作アイコン２３を表示させる。
【００１３】
なお、情報提供装置１は、例えば、ユーザによって通常表示設定の操作アイコン２２がタッチ操作されてから、施設のジャンルが選択される場合、禁煙施設および喫煙施設を区別することなく、選択されるジャンルに属する周辺の施設一覧を表示させる。そして、情報提供装置１は、ユーザによって施設一覧から施設が選択される場合に、施設までの経路案内を行う。
【００１４】
ただし、情報提供装置１は、ユーザによって禁煙施設限定表示設定の操作アイコン２３がタッチされてから、施設のジャンルが選択される場合には、選択されたジャンルに属する施設のうち、周辺の禁煙施設だけを選択的に一覧表示させる。
【００１５】
例えば、図１Ａに示すように、ユーザは、禁煙施設限定表示設定の操作アイコン２３をタッチしてから、レストランというジャンルを選択操作する場合がある。かかる場合、情報提供装置１は、後述するサーバ装置１０１（図２参照）から禁煙施設に関する情報を取得し、周辺に存在する禁煙施設をユーザへ提示する。
【００１６】
例えば、図１Ｂに示すように、情報提供装置１は、周辺に存在するレストランの名称、レストランまでの距離（レストランが存在する方角を示す矢印を含む）レストラン（禁煙）一覧を表示させる。レストラン（禁煙）一覧では、現在位置から近い順にレストランが一覧表示される。
【００１７】
これにより、情報提供装置１は、例えば、ユーザが非喫煙者である場合に、禁煙でない施設へ案内することを防止することができるので、非喫煙者にとってのユーザビリティを向上させることができる。
【００１８】
ここで、禁煙施設は、文字通り喫煙をすることができない施設であるが、必ずしも非喫煙者のユーザが快適に過ごすことができる施設であるとは限らない場合がある。例えば、オープンテラス席等の屋外施設を備える禁煙施設は、周囲に喫煙所が存在すると、喫煙所からタバコの煙が流入する場合がある。かかる場合、非喫煙者のユーザは、禁煙施設であっても、快適に過ごすことができない。
【００１９】
そこで、情報提供装置１は、このような禁煙施設における周辺の喫煙状況を考慮して、非喫煙者のユーザが快適に過ごすことができる禁煙施設に関する情報をユーザへ提供する。例えば、情報提供装置１は、禁煙施設に関する情報と禁煙施設周辺の喫煙状況とをサーバ装置１０１（図２参照）から取得し、喫煙状況に基づいて禁煙施設におけるタバコの煙に起因した煙害のレベル（以下、「煙害レベル」と記載する）を導出することもできる。
【００２０】
そして、情報提供装置１は、導出した煙害レベルに応じて禁煙施設に関する情報をユーザへ提供する。例えば、図１Ｂに示すように、情報提供装置１は、各施設における煙害レベルの低い順に、レストランを列挙したレストラン（禁煙）一覧を表示させる。
【００２１】
これにより、情報提供装置１は、例えば、図１Ｂに示すように、ＡＡＡというレストランがユーザによって選択される場合に、煙害レベルが最も低いＡＡＡというレストランまでの経路案内を行うことができる。
【００２２】
このように、情報提供装置１は、禁煙施設における周辺の喫煙状況を考慮して、非喫煙者のユーザが快適に過ごすことができる禁煙施設に関する情報をユーザへ提供することによって、非喫煙者にとってのユーザビリティを向上させることができる。
【００２３】
次に、実施形態に係る情報提供システム１００について説明する。図２は、実施形態に係る情報提供システム１００を示す説明図である。図２に示すように、情報提供システム１００は、サーバ装置１０１と情報提供装置１とを含む。
【００２４】
サーバ装置１０１と情報提供装置１とは、通信ネットワーク１０２を介して無線により相互に通信可能に接続される。通信ネットワーク１０２は、例えば、インターネットなどのＷＡＮ（Wide  Area  Network）である。
【００２５】
サーバ装置１０１は、種々の施設に関する情報（以下、「施設情報」と記載することがある）および各施設の周辺環境に関する情報を記憶したデータベースを備えるコンピュータである。なお、図２に示す例では、サーバ装置１０１が１台示されているが、サーバ装置１０１は、２台以上であってもよい。
【００２６】
サーバ装置１０１のデータベースには、例えば、各施設のジャンル、名称、所在地、禁煙施設か否かを示す情報が記憶される。さらに、サーバ装置１０１のデータベースには、各禁煙施設の周辺に存在する喫煙場所や喫煙施設、禁煙施設の周辺地域におけるタバコの売上額や、禁煙施設の周辺地域における自動販売機のタバコの売上額、禁煙施設の周辺の風向き、風速等の情報が記憶される。
【００２７】
情報提供装置１は、前述したように、ここでは、カーナビゲーション装置であり、ユーザによって経路案内の目的地となる施設の検索操作が行われた場合に、サーバ装置１０１から周辺の施設に関する情報を取得してユーザへ提供する。そして、情報提供装置１は、ユーザによって目的地が選択された場合に、目的地までの経路案内を行う。
【００２８】
また、情報提供装置１は、禁煙施設限定表示設定が選択されている場合には、施設の検索操作が行われると、サーバ装置１０１から禁煙施設に関する情報と、禁煙施設の周辺環境に関する情報とを取得し、各禁煙施設の煙害レベルを導出する。
【００２９】
そして、情報提供装置１は、禁煙施設における周辺の喫煙状況を考慮して、非喫煙者のユーザが快適に過ごすことができる禁煙施設に関する情報をユーザへ提供し、ユーザによって禁煙施設が目的地として選択されると、目的地までの経路案内を行う。
【００３０】
次に、図３を参照し、かかる情報提供装置１の構成の一例について説明する。図３は、実施形態に係る情報提供装置１の構成の一例を示す説明図である。図３に示すように、情報提供装置１は、操作部２と、出力部３と、通信部４０と、制御部４と、記憶部５とを備える。
【００３１】
操作部２は、例えば、タッチパッドであり、ユーザによるタッチ操作が行われた位置を検知して検知結果を制御部４へ出力する。出力部３は、例えば、液晶表示装置であり、制御部４から入力される各種画像情報を表示出力する。
【００３２】
また、出力部３は、スピーカを備えており、経路案内の音声情報等を出力することもできる。なお、図３では、操作部２および出力部３を別体として図示しているが、操作部２および出力部３は、重畳配置されて協働し、タッチパネルディスプレイとして機能する。
【００３３】
通信部４０は、例えば、ＮＩＣ（Network  Interface  Card）等によって実現される。そして、通信部４０は、通信ネットワーク１０２と無線で接続され、サーバ装置１０１との間で情報の送受信を行う。
【００３４】
記憶部５は、例えば、ＲＡＭ、フラッシュメモリ等の半導体メモリ素子、または、ＨＤＤ（Hard  Disk  Drive）、光ディスク等の記憶装置である。そして、記憶部５は、情報提供プログラム５１、ナビゲーションプログラム５２、および地図情報５３を記憶する。
【００３５】
情報提供プログラム５１は、制御部４が経路案内の目的地の候補となる施設の情報をユーザへ提供する場合に実行するプログラムである。ナビゲーションプログラム５２は、制御部４がユーザによって選択された目的地までの経路案内を行う場合に実行するプログラムである。地図情報５３は、制御部４が目的地までの経路案内に使用するロードマップの情報である。
【００３６】
制御部４は、例えば、ＣＰＵ（Central  Processing  Unit）、ＲＯＭ（Read  Only  Memory）、ＲＡＭ（Random  Access  Memory）、入出力ポートなどを有するマイクロコンピュータや各種の回路を含む。
【００３７】
そして、制御部４は、ＣＰＵがＲＯＭや記憶部５に記憶されたプログラムを、ＲＡＭを作業領域として使用して実行することにより機能する複数の処理部を備える。具体的には、制御部４は、受付部４１、情報取得部４２、状況取得部４３、導出部４４、提供部４５、およびナビゲーション部４６を備える。
【００３８】
なお、制御部４が備える複数の処理部は、それぞれ一部または全部がＡＳＩＣ（Application  Specific  Integrated  Circuit）やＦＰＧＡ（Field  Programmable  Gate  Array）等のハードウェアで構成されてもよい。
【００３９】
受付部４１は、ユーザによって操作部２が操作される場合に、操作部２から入力されるユーザの操作に応じた情報を受け付け、情報取得部４２またはナビゲーション部４６へ出力する処理部である。
【００４０】
かかる受付部４１は、例えば、ユーザによって禁煙施設限定表示設定の操作アイコン２３がタッチされ、施設のジャンルが選択される場合に、操作部２から禁煙施設の検索要求を受け付ける。受付部４１は、禁煙施設の検索要求を受け付けると、禁煙施設の検索要求と共に、ユーザによって選択された施設のジャンルを情報取得部４２へ出力する。
【００４１】
また、受付部４１は、例えば、ユーザによって目的地の決定操作が行われる場合に、操作部２から経路案内の目的地を示す情報を受け付け、目的地を示す情報をナビゲーション部４６へ出力する。
【００４２】
ナビゲーション部４６は、受付部４１から目的地を示す情報が入力されると、ナビゲーションプログラム５２を実行し、地図情報５３を使用して目的地までの案内画面、および経路案内の音声情報を出力部３へ出力することにより、目的地までの経路案内を行う。
【００４３】
情報取得部４２は、受付部４１から禁煙施設の検索要求およびジャンルが入力される場合に、入力されるジャンルに該当し、現在位置の周辺に存在する禁煙施設に関する情報を、通信ネットワーク１０２および通信部４０を介してサーバ装置１０１から取得する。
【００４４】
情報取得部４２は、例えば、禁煙施設に関する情報として、施設の名称および施設の所在地等を取得する。そして、情報取得部４２は、取得した禁煙施設に関する情報を状況取得部４３へ出力する。
【００４５】
状況取得部４３は、情報取得部４２から禁煙施設に関する情報が入力される場合に、情報が取得された禁煙施設の周辺の喫煙状況を、通信ネットワーク１０２および通信部４０を介してサーバ装置１０１から取得する。
【００４６】
状況取得部４３は、喫煙状況として、例えば、禁煙施設の周辺に存在する喫煙施設に関する情報や、禁煙施設の周辺における風向および風速を取得する。さらに、状況取得部４３は、喫煙状況として、例えば、禁煙施設の周辺における喫煙者の分布を取得する。
【００４７】
例えば、状況取得部４３は、喫煙者の分布として、時間帯毎に異なる喫煙者の存在が密になる予測領域を取得する。なお、かかる予測領域の一例については、図７を参照して後述する。状況取得部４３は、情報取得部４２から入力される禁煙施設に関する情報と共に、禁煙施設の周辺の取得した喫煙状況を導出部４４へ出力する。
【００４８】
導出部４４は、情報取得部４２によって情報が取得された禁煙施設における煙害レベルを、状況取得部４３によって取得された喫煙状況に基づいて導出する。導出部４４による煙害レベルの導出手順の一例については、図４〜図７を参照して後述する。導出部４４は、情報取得部４２によって取得された禁煙施設に関する情報と共に、禁煙施設における導出した煙害レベルを提供部４５へ出力する。
【００４９】
提供部４５は、導出部４４によって導出された煙害レベルに応じて禁煙施設に関する情報を出力部３へ出力し、出力部３によって表示させることにより、ユーザへ禁煙施設に関する情報を提供する。
【００５０】
例えば、提供部４５は、禁煙施設に関する情報として、現在地の周辺に存在し、ユーザによって選択されたジャンルに属する複数の禁煙施設の施設名、施設までの距離、および禁煙施設における煙害レベルをユーザへ提供する。
【００５１】
このとき、提供部４５は、例えば、現在地からの距離が近い順に禁煙施設の施設名を列挙した一覧をユーザへ提供することができる。これにより、非喫煙者のユーザは、現在地から近い禁煙施設のうち、煙害レベルが所望するレベル以下の禁煙施設を選択することができる。したがって、情報提供装置１は、非喫煙者にとってのユーザビリティを向上させることができる。
【００５２】
また、提供部４５は、例えば、煙害レベルが低い順に禁煙施設の施設名を列挙した一覧をユーザへ提供することもできる。これにより、極端にタバコを嫌う非喫煙者のユーザは、現在地の周辺で最も煙害レベルが低い禁煙施設を即座に選択することができる。したがって、情報提供装置１は、非喫煙者にとってのユーザビリティを向上させることができる。
【００５３】
次に、図４〜図７を参照し、実施形態に係る煙害レベルの導出手順の一例について説明する。図４〜図７は、実施形態に係る煙害レベルの導出手順の説明図である。図４に示すように、情報提供装置１の制御部４は、例えば、禁煙施設６１の所在地を取得すると、まず、禁煙施設６１を中心とする半径Ｒの円形のエリアＡ１における風向および風速をサーバ装置１０１から取得する。
【００５４】
なお、図４には、風向を白抜き矢印の向きで示している。続いて、制御部４は、図５に示すように、禁煙施設を扇の要とし、風上方向Ｗを中心として左右方向に所定角度（例えば、左右３０度）まで広がる扇エリアＡ２を円形のエリアＡ１内に設定する。
【００５５】
続いて、制御部４は、扇エリアＡ２内に存在する喫煙所（喫煙施設）７１，７２の所在地をサーバ装置１０１から取得する。そして、制御部４は、禁煙施設６１から各喫煙所７１，７２までの距離および方角に応じて、各喫煙所７１，７２が禁煙施設６１に及ぼす煙害レベルを導出する。
【００５６】
図５に示す例では、制御部４は、禁煙施設６１に近く、風上方向Ｗ上に存在する方の喫煙所７２が禁煙施設６１に及ぼす煙害レベルを「８」と導出する。また、制御部４は、喫煙所７２よりも禁煙施設６１から遠く、風上方向Ｗから多少ずれた方角に存在する方の喫煙所７１が禁煙施設６１に及ぼす煙害レベルを「５」と導出する。
【００５７】
そして、制御部４は、喫煙所７１の煙害レベル「５」と、喫煙所７２の煙害レベル「８」とを加算した数値「１３」を禁煙施設６１における煙害レベルとして導出する。このように、制御部４は、禁煙施設６１の風上方向Ｗ側に存在する喫煙所７１、７２までの距離および方角に応じて、禁煙施設６１の煙害レベルを導出する。
【００５８】
これにより、制御部４は、禁煙施設６１の正確な煙害レベルを導出することができる。制御部４は、現在地の周辺に存在する全ての禁煙施設について、かかる煙害レベルの導出を行う。なお、制御部４は、禁煙施設６１の周辺の風向および風速の取得や、扇エリアＡ２の設定を行わずに、各禁煙施設における煙害レベルを導出する構成であってもよい。
【００５９】
例えば、制御部４は、禁煙施設を中心とする円形のエリアＡ１内に存在する喫煙所の所在地を取得し、禁煙施設から各喫煙所までの距離に応じて、各喫煙所が禁煙施設に及ぼす煙害レベルを導出して加算した値を禁煙施設における煙害レベルとして導出してもよい。これにより、制御部４は、より簡易な処理によって各禁煙施設における煙害レベルを導出することができる。
【００６０】
なお、図５に示す例では、禁煙施設６１に煙害を及ぼすエリアの所在地が固定の場合について説明したが、別の禁煙施設では、禁煙施設に煙害を及ぼすエリアが固定でない場合もある。このため、制御部４は、禁煙施設の周辺環境によっては、禁煙施設の周辺における喫煙者の分布を取得し、喫煙者の分布に応じて喫煙施設における煙害レベルを導出する。
【００６１】
例えば、図６に示すように、禁煙施設６２は、禁煙施設６２を中心とする円形のエリアＡ３に設定した扇エリアＡ４の左隅に公営競技場７３が存在し、扇エリアＡ４の右隅に競技場前駅７４が存在する。ここで、公営競技場７３は、例えば、競馬場であり、イベント開催中に比較的喫煙者の存在が密になる施設である。
【００６２】
このため、制御部４は、例えば、イベント開催中の時間帯に、公営競技場７３が禁煙施設６２へ及ぼす煙害レベルを「５」と導出し、その値「５」を禁煙施設６２の煙害レベルとして導出する。
【００６３】
これに対して、公営競技場７３でのイベント開催前後の時間帯では、図７に示すように、公営競技場７３と競技場前駅７４との間に、喫煙者が移動することによって、喫煙者の存在が密になる予測領域７５が出現する。また、公営競技場７３は、イベント開催中の時間帯に比べて、イベント開催前後の時間帯の方が喫煙者の存在が疎になる。
【００６４】
そこで、制御部４は、公営競技場７３でのイベント開催前後の時間帯では、公営競技場７３が禁煙施設６２へ及ぼす煙害レベルを「３」と導出する。さらに、制御部４は、喫煙者の存在が密になる予測領域７５を取得する。
【００６５】
図７に示す例では、予測領域７５は、公営競技場７３よりも風上方向に近い。このため、制御部４は、予測領域７５が禁煙施設６２へ及ぼす煙害レベルを「５」と導出する。そして、制御部４は、公営競技場７３の煙害レベル「３」と予測領域７５の煙害レベル「５」とを加算した値「８」を、公営競技場７３でのイベント開催前後の時間帯における禁煙施設６２の煙害レベルとして導出する。
【００６６】
このように、制御部４は、喫煙状況として、禁煙施設６２の周辺における喫煙者の分布を取得し、喫煙者の分布に応じて禁煙施設６２における煙害レベルを導出する。これにより、制御部４は、禁煙施設６２に煙害を及ぼすエリアが固定でない場合であっても、禁煙施設６２における正確な煙害レベルを導出することができる。
【００６７】
また、制御部４は、喫煙者の分布として、時間帯毎に異なる喫煙者の存在が密になる予測領域７５を取得し、予測領域７５が禁煙施設６２に及ぼす煙害レベルを考慮して、禁煙施設６２における煙害レベルを導出する。これにより、制御部４は、時間帯によって変動する禁煙施設６２の正確な煙害レベルを導出することができる。
【００６８】
次に、図８を参照し、実施形態に係る情報提供装置１の制御部４が実行する処理について説明する。図８は、実施形態に係る情報提供装置１の制御部４が実行する処理を示すフローチャートである。
【００６９】
なお、制御部４は、ユーザによって経路案内の目的地が選択された場合、一般的なカーナビゲーション装置と同様の経路案内処理を行う。このため、ここでは、経路案内の目的地となる施設の検索操作がユーザによって行われてから、目的地の候補を表示するまでに制御部４が実行する処理について説明する。
【００７０】
制御部４は、経路案内の目的地となる施設の検索操作がユーザによって行われた場合に、図８に示す処理を実行する。具体的には、図８に示すように、制御部４は、まず、禁煙施設限定表示設定か否かを判定する（ステップＳ１０１）。
【００７１】
そして、制御部４は、禁煙施設限定表示設定でないと判定した場合（ステップＳ１０１，Ｎｏ）、現在地の周辺に存在し、ユーザによって選択されたジャンルに該当する全施設情報をサーバ装置１０１から取得する（ステップＳ１１１）。そして、制御部４は、施設情報を取得した施設を現在地からの距離が近い順に表示させ（ステップＳ１１２）、処理を終了する。
【００７２】
また、制御部４は、禁煙施設限定表示設定であると判定した場合（ステップＳ１０１，Ｙｅｓ）、現在地の周辺に存在し、ユーザによって選択されたジャンルに該当する全施設情報のうち、一つの施設情報を取得する（ステップＳ１０２）。
【００７３】
続いて、制御部４は、施設情報を取得した施設が禁煙施設か否かを判定する（ステップＳ１０３）。そして、制御部４は、禁煙施設でないと判定した場合（ステップＳ１０３，Ｎｏ）、ステップＳ１０２で施設情報を取得した施設を抽出対象外とし（ステップＳ１１０）、処理をステップＳ１０２へ移す。
【００７４】
また、制御部４は、禁煙施設であると判定した場合（ステップＳ１０３，Ｙｅｓ）、禁煙施設周辺の風向および風速を取得し（ステップＳ１０４）、扇エリア（図５〜図７参照）を設定する（ステップＳ１０５）。
【００７５】
続いて、制御部４は、扇エリア内の喫煙施設情報を取得し（ステップＳ１０６）、取得した喫煙施設情報に基づいて禁煙施設の煙害レベルを導出する（ステップＳ１０７）。そして、制御部４は、現在地の周辺に存在し、ユーザによって選択されたジャンルに該当する全禁煙施設の煙害レベルを導出したか否かを判定する（ステップＳ１０８）。
【００７６】
そして、制御部４は、全禁煙施設の煙害レベルを導出していないと判定した場合（ステップＳ１０８，Ｎｏ）、処理をステップＳ１０２へ移す。また、制御部４は、全禁煙施設の煙害レベルを導出したと判定した場合（ステップＳ１０８，Ｙｅｓ）、禁煙施設を現在地からの距離が近い順、煙害レベルが低い順に表示させ（ステップＳ１０９）、処理を終了する。
【００７７】
上述したように、情報提供装置１は、受付部４１と、情報取得部４２と、状況取得部４３と、導出部４４と、提供部４５とを備える。受付部４１は、禁煙施設の検索要求を受け付ける。情報取得部４２は、受付部４１によって検索要求が受け付けられる場合に禁煙施設に関する情報を取得する。
【００７８】
状況取得部４３は、情報取得部４２によって情報が取得された禁煙施設の周辺の喫煙状況を取得する。導出部４４は、状況取得部４３によって取得された喫煙状況に基づいて禁煙施設におけるタバコに起因した煙害レベルを導出する。提供部４５は、導出部４４によって導出された煙害レベルに応じて禁煙施設に関する情報を提供する。これにより、情報提供装置１は、非喫煙者にとってのユーザビリティを向上させることができる。
【００７９】
なお、情報提供装置１の制御部４が行う煙害レベルの導出手順は、上述した導出手順に限定されるものではなく、種々の変形が可能である。ここで、図９を参照し、制御部４が行う煙害レベルの導出手順の変形例について説明する。
【００８０】
図９は、実施形態に係る煙害レベルの導出手順の変形例を示す説明図である。図９に示すように、制御部４は、例えば、２箇所の禁煙施設６３，６４の施設情報を取得する場合、喫煙者の分布として、禁煙施設６３，６４の周辺地域におけるタバコの売上額を取得することもできる。
【００８１】
図９に示す例では、禁煙施設６３は、周辺地域のタバコの売上額が１０万円である。一方、禁煙施設６４は、周辺地域のタバコの売上額が７万円である。これにより、禁煙施設６３の周辺地域の方が、禁煙施設６４の周辺地域よりも喫煙者が多く分布していることが予想できる。
【００８２】
このため、制御部４は、例えば、周辺地域のタバコの売上額が比較的高い方の禁煙施設６３における煙害レベルを「５」と導出し、周辺地域のタバコの売上額が比較的低い禁煙施設６４の煙害レベルを「３」と導出する。
【００８３】
このように、制御部４は、喫煙者の分布として、禁煙施設６３，６４の周辺地域におけるタバコの売上額を取得し、売上額の高さに応じて煙害レベルを導出する。これにより、制御部４は、処理負荷を低減しつつ、禁煙施設６３，６４における大凡の煙害レベルを導出することができる。
【００８４】
また、制御部４は、喫煙者の分布として、禁煙施設６３，６４の周辺地域におけるタバコの売上額に代えて、周辺地域に設置された自動販売機のタバコの売上額を取得することもできる。これによっても、制御部４は、処理負荷を低減しつつ、禁煙施設６３，６４における大凡の煙害レベルを導出することができる。
【００８５】
なお、これまで、情報提供装置１がカーナビゲーション装置である場合について説明したが、情報提供装置１は、例えば、スマートフォンやタブレット端末などの携帯装置であってもよい。情報提供装置１は、携帯装置である場合、徒歩で移動するユーザの経路案内を行うことがある。
【００８６】
ここで、図１０を参照し、情報提供装置１が携帯装置である場合に、制御部４が行う経路案内の一例について説明する。図１０は、実施形態に係る経路案内方法の一例を示す説明図である。
【００８７】
図１０に示すように、情報提供装置１が携帯装置である場合、制御部４は、ユーザによって禁煙施設６５が経路案内の目的地として設定されると、先に説明した手順と同様に、禁煙施設６５の周辺における喫煙状況を取得する。
【００８８】
そして、制御部４は、取得した喫煙状況に基づき、現在地Ｐから禁煙施設６５までの最短経路脇に喫煙所７６の存在を検知すると、図１０に点線矢印で示すように、喫煙所７６を迂回して禁煙施設６５へ向かう経路をユーザに案内する。
【００８９】
これにより、制御部４は、徒歩で移動する非喫煙者のユーザが禁煙施設まで移動する途中で、喫煙所７６から出るタバコの煙に不快感を抱くことを防止しつつ、ユーザを適切に禁煙施設６５まで案内することができる。したがって、情報提供装置１は、非喫煙者にとってのユーザビリティを向上させることができる。
【００９０】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９１】
１  情報提供装置
２  操作部
３  出力部
４  制御部
５  記憶部
４０  通信部
４１  受付部
４２  情報取得部
４３  状況取得部
４４  導出部
４５  提供部
４６  ナビゲーション部
５１  情報提供プログラム
５２  ナビゲーションプログラム
５３  地図情報
１００  情報提供システム
１０１  サーバ装置
１０２  通信ネットワーク
【図１Ａ】
2018195144.tif 000003
【図１Ｂ】
2018195144.tif 000004
【図２】
2018195144.tif 000005
【図３】
2018195144.tif 000006
【図４】
2018195144.tif 000007
【図５】
2018195144.tif 000008
【図６】
2018195144.tif 000009
【図７】
2018195144.tif 000010
【図８】
2018195144.tif 000011
【図９】
2018195144.tif 000012
【図１０】
2018195144.tif 000013